(57)【要約】      （修正有）【課題】錘の位置を容易に変更することができる平衡錘系を有するゴルフパターを提供する。【解決手段】縦方向チャンネルを有する中空シャフト２６と、該中空シャフト２６の第２端３２を包囲するグリップ２４と、第１端３０に装着されるパッティングヘッド２８と、からなるパター２０とし、該中空シャフト２６には、前方キャップ８４と端部キャップ８６に挟まれた４側面形態を有するロッド６０と、該ロッド６０を縦方向に摺動可能で、かつ、固定可能な少なくとも１つの平衡型錘系２２を有する構成とする。【選択図】図１
2020006145.tif 000002
【特許請求の範囲】
【請求項１】
ゴルフパターであり、縦方向チャンネルを有する中空シャフトと、このシャフトの一部を包囲するグリップと、パターヘッドと、前記中空シャフトの前記縦方向チャンネルの内側に配置された調節可能な平衡型錘系とを備え、その錘系は、
４側面形態を有するロッドと、
少なくとも１つの錘とを備え、その少なくとも１つの錘の各々は環状錘ハウジングを有し、該ハウジングは縦方向を通じて延伸する４側面チャンネルを有し、及び、
前記ロッドは前記少なくとも１つの錘の前記錘ハウジングの前記チャンネルを通じて延伸するゴルフパター。
【請求項２】
請求項１のゴルフパターにおいて、各錘ハウジングはねじ付き開口を有し、前記錘系は更にねじ付き固定用スクリューを含み、前記固定用スクリューは前記ねじ付き開口を通じて螺合して、前記ロッドの４側面の１つに当接するように設けられたゴルフパター。
【請求項３】
請求項１のゴルフパターにおいて、各錘は更に、前記錘ハウジングを包囲する少なくとも１つのブッシングを含み、このブッシングは複数の延長部を有し、前記錘ハウジングは前記シャフトの前記縦方向チャンネルの内側に配置され、前記複数の延長部は前記シャフトの縦方向チャンネルに対して前記シャフトの前記チャンネルの内側で前記錘を中心にするように当接するゴルフパター。
【請求項４】
請求項３のゴルフパターにおいて、前記ブッシングと前記錘ハウジングは異なる材料から作成されているゴルフパター。
【請求項５】
請求項１のゴルフパターにおいて、前記少なくとも１つの錘は前記グリップの内側に配置されているゴルフパター。
【請求項６】
請求項１のゴルフパターにおいて、前記少なくとも１つの錘は第１の錘と第２の錘とを含み、これらの錘はロッドに沿って離間した方式で配置されているゴルフパター。
【請求項７】
請求項１のゴルフパターにおいて、前記ロッドは第１の端部と第２の端部とを有し、前記錘系は更に、前記ロッドの前記第２の端部を保持するための４側面孔を有する端部キャップを含むゴルフパター。
【請求項８】
請求項７のゴルフパターにおいて、前記錘系は前方キャップを更に含み、該キャップは前記ロッドの前記第１の端部と逆向きに螺合して係合し、前記パターヘッドの内側に位置しているゴルフパター。
【請求項９】
ゴルフパターであって、縦方向チャンネルを有する中空シャフトと、このシャフトの一部を囲むグリップと、パターヘッドと、前記中空シャフトの前記縦方向チャンネルの内側に位置した調節可能な錘系とを備え、この錘系は、
ロッドと、
少なくとも１つの錘とを備え、この少なくとも１つの錘の各々は環状錘ハウジングを有し、該ハウジングはそれを縦方向に通じて延在するチャンネルを有し、各々の錘ハウジングはねじ付き開口を有し、
前記ロッドは前記少なくとも１つの錘の前記錘ハウジングの前記チャンネルを通じて延在し、前記錘系は、
前記ねじ付き開口を通じて螺合して前記ロッドに当接するねじ付き固定用スクリューを備えるゴルフパター。
【請求項１０】
請求項９のゴルフパターにおいて、各々の錘は、前記錘ハウジングを囲む少なくとも１つのブッシングを更に含み、このブッシングは複数の延長部を有し、前記錘ハウジングは前記シャフトの前記縦方向チャンネルの内側に配置され、前記複数の延長部は前記シャフトの前記縦方向チャンネルに対して当接して前記錘を前記シャフトの前記チャンネル内側で中心にさせるゴルフパター。
【請求項１１】
請求項１０のゴルフパターにおいて、前記ブッシングと前記錘ハウジングとは異なる材料から作成されているゴルフパター。
【請求項１２】
請求項９のゴルフパターにおいて、前記少なくとも１つの錘は前記グリップの内側に配置されているゴルフパター。
【請求項１３】
請求項９のゴルフパターにおいて、前記少なくとも１つの錘は第１の錘及び第２の錘を含み、これらは前記ロッドに沿って離間した方式で配置されているゴルフパター。
【請求項１４】
請求項９のゴルフパターにおいて、前記ロッドは第１の端部と第２の端部とを有し、前記錘系は更に端部キャップを含み、これは前記ロッドの前記第２の端部を保持するための孔を有するゴルフパター。
【請求項１５】
請求項１４のゴルフパターにおいて、前記錘系は前方キャップを更に含み、これは前記ロッドの前記第１の端部と逆向きに螺合して係合し、前記パターヘッドの内側に位置しているゴルフパター。
【発明の詳細な説明】
【技術分野】
【０００１】
発明の背景
１．発明の分野
本発明はゴルフクラブに関し、特に調節可能平衡錘系を有するゴルフパターに関する。
【０００２】
２．従来技術の説明
パッティングはゴルフのゲームで最も正確な技術を要する動作の１つである。これはパターをボールに適切に整合させ、ボールを叩き、ボールが所望の距離にわたり、所望の線上を転がるようにする相当量の一貫性が要求される。一貫したストロークを容易に行うために、多くのゴルファーは、円滑なストローク、良好な滑り、すっきりした衝撃、跳ね返りのないトップスピンボールを打つことをもたらすパターを有利なものと考えている。
【０００３】
パッティングストロークから不正確さを除去する１つの試みは延長された長さのパターをゴルファーの身体の中央部へ固定することであった。そのようにすることにより、自由度が減少して、円滑で実質的に平面に沿ったストロークが首尾よくもたらされる。そのようなことを実践することは全米ゴルフ協会（ＵＳＧＡ）及び全英ゴルフ協会（Ｒ＆Ａ）規則決定機関により規定された規則により禁止されてきた。そのため、クラブ製造業者は固定型パターの禁止により残された隙間を埋めるパターの設計における新たな関心を持つようになってきた。
【０００４】
その結果、或る製造業者は平衡型パターを導入してきた。平衡型パターは固定型パターの固定による多くの利点を固定することなく提供する。クラブのグリップ端へ錘を付加することにより、パターの平衡点を高くする。手の中の重さを増やすことは、よりよいテンポ、安定性及び一貫性のための制御性の向上を目的としている。
【０００５】
残念ながら、市場における平衡型パターの全てが効果的とは限らない。今日、公衆に提供されるパターグリップ市場は全て静止錘を提供している（即ち、錘はユーザーの好みに対して配置することはできない）。グリップの太い方の端部に設置された単独の錘を有する平衡型パターも存在する。錘の位置を変更することができる他の系も存在するが、錘の再位置決めのためにはグリップの取り外しが必要であり、次いでユーザーはグリップを元に戻さねばならない。この工程は誰かが家庭で錘を調節又は変更することを非常に困難にする。
【発明の概要】
【０００６】
本発明の目的は従来技術の欠点を克服する平衡錘系を有するパターを提供することである。
【０００７】
本発明はゴルフパターを与え、これは縦方向チャンネルを有する中空シャフトと、シャフトの一部を包囲するグリップと、パターヘッドと調節可能な平衡錘系とを有する。錘系は、４側面形態と少なくとも１つの錘とを有するロッドを有する。各々の錘は環状錘ハウジングを有し、これはその中を縦方向に延伸する４側面チャンネルを有し、各々の錘ハウジングはねじ付き開口を有する。ロッドは錘の錘ハウジングのチャンネルを通じて延伸し、ねじ付き設定スクリューがねじ付き開口を通じて螺合し、ロッドの４側面の１つに作用して錘を４側面チャンネルの内側に固定する。
【０００８】
本発明によってエンドユーザーが、グリップを取り外すかゴルフパター内の設定位置に置くことなく、錘の量を調節し、ゴルフパター内の錘の所望位置を調節することが可能となる。
【図面の簡単な説明】
【０００９】
【図１】図１は本発明の１つの実施形態によるパター及び錘系の分解斜視図である。
【図２】図２は図１のパターのグリップの拡大断面図である。
【図３】図３は図１の錘系の分解斜視図である。
【図４】図４は線Ａ−Ａに沿って示した図２のグリップの断面図である。
【００１０】
好適な実施形態の詳細な説明
以下の詳細な説明は本発明を実施する現在最も良好と考えられる態様の１つである。この説明は趣旨を限定するものではなく、単に本発明の実施形態の一般的原理を図解する目的でなされている。本発明の目的は添付の特許請求の範囲により最もよく述べられている。
【００１１】
図１−図４は本発明の一実施形態による平衡型錘系２２を有するゴルフパター２０を図解する。パター２０は、グリップ２４、中空シャフト２６及びパッティングヘッド２８を有する。シャフト２６はこのシャフト２６の第１端３０と第２端３２との間に延在する長手軸３６に概ね沿って配置されている。パッティングヘッド２８はシャフト２６の第１端３０に取り付けられ、グリップ２４はシャフト２６の外側の周りの周囲に配置されてグリップ２４は第２端３２に当接する。一般に、グリップ２４はクラブをスイングするときにユーザーにより握られる非金属ラップ又はスリーブとすることができる。グリップの適切な材料は典型的にはラバー、革、又は合成革素材を含む。パターヘッド２８は約０度から約６度のロフト角度及び約２００グラムから約５００グラムのヘッド質量を有することができる。
【００１２】
図示のようにシャフト２６は管状ボディ３８を含む。この管状ボディ３８は内面と外面とを有する。これらは実質的に同心であり、長手軸３６に整合している。グリップ２４は外面の周りに配置され、内面は中空チャンネル４０を画定する。調節可能平衡錘系２２は中空チャンネル４０内に配置することができ、１つ以上の錘４４、４６はシャフト２６内のユーザーが意図した位置に調節可能に配置することができる。シャフト２６内の錘４４、４６の再位置決めにより、ユーザーはパター２０をスイングするときのパター２０の感触と反応を変えることができる。錘４４、４６が特定の配置と大きさになると、パター２０の感触又はスイングプロファイルを固定されたパターのそれと同様にすることができる。
【００１３】
調節可能な平衡錘系２２は長尺ファイバーロッド６０を含み、これはシャフト２６の縦軸３６と実質的に整合するように構成されている。ファイバーロッド６０は適切な軽量であるが、弾性材料、例えば、アルミニウム、カーボンファイバー被包アルミニウム及び／又はポリマー材料などから形成することができる。適切なポリマーの例は１つ以上のポリアミド、ポリイミド、ポリアミド−イミド、ポリエーテルエーテルケトン（ＰＥＥＫ）、ポリカーボネイト、工学ポリウレタン、及び／又は他の同様な材料を含む。一般に、ポリマー材料は熱可塑性プラスチック又は熱硬化性プラスチックの何れかであり、無充填であっても、短繊維（例えばグラスファイバー又はカーボンファイバー）で充填することができ、又は強度の増大をもたらす他の適切な充填材及び／又は添加剤を有することができる。ロッド６０はチャンネル４０の径の約４０％から約６０％の径を有する。同様にロッド６０は約１２−１６インチ（約３０．４８−４０．６４センチメートル）の長さを有する。
【００１４】
図３に最もよく示されるように、ロッド６０は４側面断面形態を有する。ここに示されるロッド６０は概ね矩形形態を有するが、ロッド６０には長方形又はダイヤモンド形状形態を与えることも可能である。
【００１５】
調節可能平衡錘系２２は少なくとも１つの錘を更に含む。図１−図４に示される実施形態においては２つの錘４４、４６が示されているが、任意の数の錘を有する錘系２２を用いることが可能である。各々の錘４４及び４６は環状錘ハウジング６４及び６６をそれぞれ有し、縦軸３６に沿って錘ハウジング６４、６６を通じて延伸する４側面チャンネル６８も有する。チャンネル６８の４側面形態はロッド６０の４側面形態に整合し、チャンネル６８の寸法はロッド６０のそれよりも僅かに大きく、ロッド６０はチャンネル６８を通じて延在できる。更に、１つ以上のラバーブッシング７０を各錘部材４４、４６の外表面の周りで離間した方式で設けることができる。図４に最もよく示されるように、各ラバーブッシング７０は錘ハウジング６４又は６６の外表面から径方向外側へ延出する複数の延長部７２を有する。図１−図４は４つの延長部７２を示すが、少なくとも３つ以上の延長部７２がなければならない。更に、ねじ付き開口７８が各錘ハウジング６４、６６のボディに設けられ、固定用スクリュー８０を受け入れるように設けられている。
【００１６】
錘ハウジング６４、６６の各々は金属、金属合金、又は所望の重量までの任意の材料から好ましくは作成され、例としては真鍮、アルミニウム、鋼、又はカーボンファイバー材料を含む。更に、ブッシング７０は好ましくは軟材料からなり、これはパッティングストロークを行うときに錘の振動を除去する。軟材料の例としてはラバー、シリコン、又はプラスチックを含む。
【００１７】
前方キャップ８４はパターヘッド２８に近接してロッド６０の端部９２に螺合的に逆に係合し、端部キャップ８６はグリップ２４に隣接する対向端に設けることができる。延長部７２は前方キャップ８４の外面の周りに離間して設けることもできる。端部キャップ８６は、ロッド６０の４側面形態に整合する４側面孔８８を設けることができ、ロッド６０の端部９０を孔８８の内側にぴったりと保持することができる。
【００１８】
各錘ハウジング６４及び６６は本質的に概ね環状であり、径方向にロッド６０を囲む。各錘ハウジング６４、６６は選択的にロッド６０へ取り付けられ、錘４４、４６の半恒久的な配置を容易にする。錘４４又は４６をロッド６０に沿った所望の位置へ取り付けるには、錘ハウジング６４又は６６をロッド６０上に摺動させてロッド６０をチャンネル６８を通じて所望の位置まで延出させる。次いで固定用スクリュー８０をねじ付き開口７８を通じて、スクリュー８０の端部がロッド６０の４側面の１つに当接するまで前進させる。これにより錘４４又は４６をロッド６０に沿った所望の位置に固定する。錘系２２は次いでシャフト２６のチャンネル４０内へ摺動して、延長部７２が錘４４、４６及びシャフト２６の内側のチャンネル４０の中央における前方キャップ８４の位置決めを助ける。図２に示すように、全ての錘４４、４６は好ましくはグリップ部分内のシャフト２６の内側に配置され、シャフト２６における前方キャップ８４は、グリップ部分の外側にある。後方キャップ８６はフランジ９４を有する。このキャップ８６はグリップ２４の開口上端を覆い、後方キャップ８６のステム部分９６は錘系２２をグリップ２４の上端に固定する。
【００１９】
錘４４又は４６は、先ず端部キャップ８６及び錘系２２を取り外し、次いでスクリュー８０を緩めて錘４４及び／又は４６を取り外すことにより容易に取り外すことができる。使用中に、ユーザーは自ら望む平衡効果に応じて任意の数の錘４４、４６を使用することができ、全ての錘（１つ以上の錘）の総質量が「可動質量」となる。錘系２２には複数の異なる質量を有する異なる錘を設けることができるので、ユーザーは広範囲の平衡オプションを選択することができる。例えば、ユーザーは単独の３０グラム錘、又はロッド６０の異なる位置における３０グラム錘及び１０グラム錘の組み合わせを用いることができる。
【００２０】
調節可能平衡の全質量は約１５グラムから約１２０グラムとすることができ、これは約１０グラムから約１００グラム可動質量と、約１５グラムの固定質量（即ち、ロッド６０及び他の固定部品）を含む。１つの形態において、グリップ２４はクラブの「グリップ部分」と成り得る。グリップ部分は総固定質量（即ち、非再位置決め可能要素）を有し、これは約６０グラムから約１２０グラムである。他の実施形態において、グリップ部分の総固定質量は約８０グラムから約１００グラムである。１つの特定の実施形態においては、グリップ部分の総固定質量は約９０グラムである。
【００２１】
ゴルファーに最も最適な感触と調節性を与えるには、可動質量の量を特定の比率内にすることであり、これは例えばヘッド質量及び／又はグリップ部分内の固定質量に対する可動質量の比により表される。１つの形態においては、ヘッド質量の可動質量に対する比は約３：１乃至約１１：１又は約３：１乃至約８：１、又は約４：１乃至約６：１である。特定の例において、ヘッド質量の可動質量の比は約４．３：１である。同様に、可動質量に対する固定グリップ質量の比は約０．５：１乃至約４：１、又は約０．５：１乃至約２：１、又は約０．７５：１乃至約１．５：１である。特定の例において、固定グリップ質量の可動質量に対する比は約１．２：１である。
【００２２】
従来の研究の結果では、クラブの重心が手に近接するとき、クラブの制御が良好になることが示されている。本発明の錘系によれば、重心を手に向かって移動させることのみならず、クラブ内の特定の位置へ位置させることが、ゴルフクラブ修理業者に依頼することなく可能となる。研究では、錘の重量の半分以上を競技者の利き手の下に配置されるとそのクラブを一層よく制御できることも示している。
【００２３】
現在の選択枝はユーザーにクラブの端部に静止錘を加えることを可能にするか、又はクラブ修理業者がグリップを取り外すことによりシャフトの内側に静止錘を配置させ、錘を配置し、次いで他のグリップを再設置することに限定される。本発明はエンドユーザーに家庭で付属のツールを用いて錘系を調節及び再設置することを可能にする。
【００２４】
上述の説明は本発明の特定の実施形態を述べているが、その趣旨から逸脱することなく幾多の変更をなし得ることを理解されたい。添付の特許請求の範囲はそのような変更を包含し、本発明の真の目的と趣旨内に含まれることを意図している。
【図１】
2020006145.tif 000003
【図２】
2020006145.tif 000004
【図３】
2020006145.tif 000005
【図４】
2020006145.tif 000006
【外国語明細書】
2020006145000001.pdf